(57)【要約】本発明は、外科手術、特に脳および脊髄手術で使用するためのＸ線検出可能材料を含む中間層（１１３）を含む頭部（１１）を有する外科用パッド（１０）を開示する。外科用パッド（１０）において、中間層（１１３）は層（１１１、１１２）間に設けられ、層（１１１、１１２）は、綿１００％から作られ、手で形成された幾何的形状を有する。【選択図】図１
2021513373.tif 000002
【特許請求の範囲】
【請求項１】
外科手術、特に脳および脊髄手術で使用するためのＸ線検出可能材料を含む中間層（１１３）を含む頭部（１１）を有する外科用パッド（１０）であって、前記中間層（１１３）は層（１１１、１１２）間に設けられ、前記層（１１１、１１２）は、綿１００％から作られ、手で形成された幾何的形状を有する、ことを特徴とする外科用パッド（１０）。
【請求項２】
前記頭部（１１）は、圧縮綿または親水性綿材料から作られる、ことを特徴とする請求項１に記載の外科用パッド（１０）。
【請求項３】
前記頭部（１１）は、正方形、長方形または円形の幾何的形状を有する、ことを特徴とする請求項１または２に記載の外科用パッド（１０）。
【請求項４】
前記頭部（１１）に接続された尾部（１２）を含む、ことを特徴とする請求項１〜３のいずれか１項に記載の外科用パッド（１０）。
【請求項５】
前記尾部（１２）は、Ｘ線検出可能材料でマークされるように前記頭部（１１）に縫い付けられる、ことを特徴とする請求項４に記載の外科用パッド（１０）。
【請求項６】
前記尾部（１２）は、綿材料から作られた糸である、ことを特徴とする請求項４または５に記載の外科用パッド（１０）。
【請求項７】
複数の外科用パッド（１０）の前記尾部（１２）を接続することにより外科用パッド束（２０）が形成される、ことを特徴とする請求項４〜６のいずれか１項に記載の外科用パッド（１０）。
【請求項８】
前記Ｘ線検出可能材料は、酸化バリウムまたはイオンを含むインジケータである、ことを特徴とする請求項１〜７のいずれか１項に記載の外科用パッド（１０）。
【請求項９】
外科手術、特に脳および脊髄手術で使用するための角張った形状を有する外科用パッド（１０）を得る方法であって、
−上層（１１２）および下層（１１１）を形成するために圧縮綿をその長さに沿って手で折り畳み、そしてそれらを所定の長さに切断するステップと、
−放射線不透過性中間層（１１３）を形成するために上層（１１２）と下層（１１１）との間にＸ線検出可能材料を配置するステップと、
−最終形状を取得するために前記圧縮綿の少なくとも１つの縁部（１５）で切断し、そして頭部（１１）を得るステップと、
−頭部（１１）がＸ線検出可能材料でマークされるように頭部（１１）に綿糸を縫い付け、したがって尾部（１２）を形成するステップと、を含む、
ことを特徴とする外科用パッド（１０）を得る方法。
【請求項１０】
外科手術、特に脳および脊髄手術で使用するための角張っていない形状を有する外科用パッド（１０）を得る方法であって、
−親水性綿を所望のパッドサイズで幾何的形状に手で形成するステップと、
−放射線不透過性中間層（１１３）を形成するためにＸ線検出可能材料を前記親水性綿内に配置するステップと、
−前記Ｘ線検出可能材料の周りを前記親水性綿で包み、端部（１６）を縫い付け、そして上層（１１２）および下層（１１１）を有するディスクに形成するステップと、
−前記親水性綿がその最終形状を獲得するように、前記親水性綿の周囲を超える部分を切断することにより、角張っていない形状を有する頭部（１１）を得るステップと、
−頭部（１１）がＸ線検出可能材料でマークされるように頭部（１１）に綿糸を縫い付け、したがって尾部（１２）を形成するステップと、を含む、
ことを特徴とする外科用パッド（１０）を得る方法。
【請求項１１】
最終手順として、少なくとも１つの接続点（１４）を介して複数の外科用パッド（１０）を接続することにより、外科用パッド束（２０）が得られる、ことを特徴とする請求項１０に記載の外科用パッド（１０）を得る方法。
【発明の詳細な説明】
【技術分野】
【０００１】
本発明は、脳および脊髄手術などの顕微手術活動で特に使用される外科用パッドに関する。
【背景技術】
【０００２】
知られているように、外科手術、特に脳および脊髄の外科手術では、血液、リンパ液、脳脊髄液などの体液を吸収するためにパッドが使用される。これらの手術で使用されるパッドは、サイズが小さいという要件に加えて、手術中に放射線学的に検出されるために、Ｘ線を反射する、つまり放射線不透過性であるべきである。さらに、組織に接触するパッドの部分に付着物があってはならない。
【０００３】
最先端の特許文献１は、両面が液体を吸収できる柔軟な発泡ポリマーで両面がコーティングされた多孔性布でできている外科用スポンジを開示する。スポンジは、Ｘ線検出可能材料を含む。
【０００４】
別の特許文献２は、手術中にパッド表面のいかなる残留物も部位に留まるのを防ぐ樹脂でコーティングされ、互いに上に層をなす複数の吸収力のある繊維構造を含み、Ｘ線不透過性物質を含む層を有する、外科用パッドを開示する。
【０００５】
別の特許文献３は、Ｘ線検出可能材料を含む外科用タオルを開示する。外科用タオルは、Ｘ線検出可能材料を有する織物のシートでできている。Ｘ線検出可能材料は、縫製されているか、さもなければ布に取り付けられている。タオルがＸ線検出可能材料を含むことを示すために、縁が異なる色の糸で縫われている。
【先行技術文献】
【特許文献】
【０００６】
【特許文献１】米国特許第３９１１９２２号
【特許文献２】欧州特許出願公開第２６４１５６０Ａ号
【特許文献３】米国特許出願第２００５１０９３４７号
【発明の概要】
【発明が解決しようとする課題】
【０００７】
本発明の目的は、脳および脊髄手術などの顕微手術での使用に適したサイズで、かつ身体組織に付着しない外科用パッド、および外科用パッド取得方法を提供することである。
【課題を解決するための手段】
【０００８】
前記目的を達成するために、本発明は、外科手術、特に脳および脊髄手術で使用するためのＸ線検出可能材料を含む中間層を含む頭部を有する外科用パッドである。外科用パッドにおいて、中間層が層間に設けられ、層は、綿１００％から作られ、手で形成された幾何的形状を有する。したがって、顕微手術活動のために望ましい小さいサイズであり、かつ身体組織にくっつかない放射線不透過性外科用パッドが提供される。
【０００９】
本発明の可能な実施形態では、頭部は、圧縮綿または親水性綿材料から作られる。このようにして、身体組織にくっつかない頭部が得られる。
【００１０】
本発明の別の可能な実施形態では、頭部は、正方形、長方形または円形の幾何的形状を有する。したがって、異なる幾何的形状の外科用パッドが顕微手術活動用に提供される。
【００１１】
本発明の別の可能な実施形態は、頭部に接続された尾部を含む。したがって、手術用パッドに尾部が提供される。
【００１２】
本発明の別の可能な実施形態では、尾部は、Ｘ線検出可能材料でマークされるように頭部に縫い付けられる。したがって、外科用パッドは、放射線不透過性の縫い付けでマークされる。
【００１３】
本発明の別の可能な実施形態では、尾部は綿材料から作られた糸である。このように、尾部は体組織にくっつかない材料で作られる。
【００１４】
本発明の別の可能な実施形態では、複数の外科用パッドの尾部を接続することにより、外科用パッド束が形成される。したがって、パッケージングのために、互いに接続された複数の外科用パッドを含む外科用パッド束が得られる。
【００１５】
本発明の可能な実施形態では、Ｘ線検出可能材料は、酸化バリウムまたはイオンを含むインジケータである。
【００１６】
前記目的を達成するために、本発明は、外科手術、特に脳および脊髄手術で使用するための角張った形状を有する外科用パッドを得る方法である。外科用パッドを得る方法は、上層および下層を形成するために圧縮綿をその長さに沿って手で折り畳み、そしてそれらを所定の長さに切断するステップと、放射線不透過性中間層を形成するために上層と下層との間にＸ線検出可能材料を配置するステップと、最終形状を取得するために前記圧縮綿の少なくとも１つの縁部で切断し、そして頭部を得るステップと、頭部がＸ線検出可能材料でマークされるように頭部に綿糸を縫い付け、したがって尾部を形成するステップと、を含む。したがって、外科用パッドを手で得る方法が導入される。
【００１７】
本発明の代替実施形態では、外科用パッドの頭部の下層および上層は、綿材料から作られたミルクフィルタであり得る。本発明の別の代替実施形態では、外科用パッドは、角張っているかまたは角張っていない異なる幾何的形状で得ることができる。
【００１８】
本発明の別の代替実施形態では、外科用パッド束は、包装のために複数の外科用パッドの尾部を接続することにより得られる。
【図面の簡単な説明】
【００１９】
【図１】図１は、円形の頭部を有する外科用パッドを示す図である。
【図２】図２は、包装用の円形の頭部を有する外科用パッドを含む外科用パッド束を示す図である。
【図３】図３は、長方形の頭部を有する外科用パッドを示す図である。
【図４】図４は、包装用の長方形の頭部を有する外科用パッドを含む外科用パッド束を示す図である。
【図５】図５は、外科用パッドの頭部を形成する層を示す図である。
【発明を実施するための形態】
【００２０】
この詳細な説明において、外科用パッド（１０）および前記外科用パッド（１０）を得るための方法は、いかなる限定効果も生じることなく本発明のより良い理解を促すためにのみ提供される例によって説明される。
【００２１】
脳や脊髄の手術などの顕微手術で体液を吸収するために使用される外科用パッド（１０）は、基本的に頭部（１１）および尾部（１２）で構成される。頭部（１１）は、外科用パッド（１０）が体液を吸収できるようにする材料で作られる。尾部（１２）の一端は、縫合部（１３）からの縫合により頭部（１１）に接続されている。尾部（１２）の他端はフリーである。
【００２２】
図５を参照すると、頭部（１１）は、下層（１１１）と、下層（１１１）に対応する上層（１１２）とを含む。上層（１１２）および下層（１１１）は綿１００％から作られて、手作業で形成された幾何的形状を有する。より詳細には、上記の１００％綿素材は、圧縮綿または親水性綿である。可能な実施形態では、頭部（１１）は、正方形、長方形、または円形の形状を有してよい。Ｘ線検出可能材料を含む中間層（１１３）が前記下層（１１１）と上層（１１２）との間に提供される。可能な実施形態では、Ｘ線検出可能材料は、酸化バリウムまたはイオンを含むインジケータである。
【００２３】
図３に示される長方形の頭部（１１）を有する外科用パッド（１０）は、以下の方法により得られる。まず、上層（１１２）および下層（１１１）を作るために、圧縮された綿をその長さに沿って手で折り畳む。次に、カッターを使用して、圧縮された綿を折り畳まれた部分から所定の長さに切断する。したがって、下層（１１１）および上層（１１２）は、それらが一致する幾何的形状を有するように提供される。中間層（１１３）は、前記上層（１１２）と下層（１１１）との間にＸ線検出可能材料を配置することにより形成される。圧縮された綿の少なくとも１つの縁部（１５）が最終形状を得るために切断され、したがって頭部（１１）が得られる。綿糸が頭部（１１）に縫い付けられ、Ｘ線検出可能材料でマークされ、このようにして、尾部（１２）および頭部（１１）が互いに接続される。したがって、長方形の外科用パッド（１０）が得られる。図４を参照すると、最終手順として、複数の外科用パッド（１０）が少なくとも１つの接続点（１４）を介して接続され、それにより外科用パッド束（２０）が提供される。前記外科用パッド束（２０）は、ブドウ束と同様の外観を有する。外科用パッド束（２０）における外科用パッド（１０）の頭部（１１）は、互いに少なくとも部分的に接触し、互いに隣接するように配置される。可能な実施形態では、外科用パッド束（２０）は、少なくとも５つの外科用パッド（１０）を互いに接続することにより提供される。前記頭部（１１）は、正方形および長方形などの任意の角度の幾何的形状を有することができる。
【００２４】
図１に示される円形の頭部（１１）を有する外科用パッド（１０）は、以下の方法により得られる。まず、親水性綿を手作業で所望のパッドサイズで幾何的形状に成形する。Ｘ線検出可能材料が親水性綿の上に置かれ、中間層（１１３）を形成する。前記親水性綿は、頭部（１１）の下層（１１１）および上層（１１２）を形成する。親水性綿がＸ線検出可能材料の周りに巻き付けられると、Ｘ線検出可能材料は上層（１１２）と下層（１１１）との間に配置される。そして、開いている頭部（１１）の端部（１６）を縫い合わせると、下層（１１１）と上層（１１２）とが接続される。このようにして、頭部（１１）は、上層（１１２）および下層（１１１）を有するディスクに形成される。前記端部（１６）は、親水性綿の周縁の少なくとも一部に設けられる。頭部（１１）は、親水性綿がその最終形状を獲得するように、親水性綿の周囲を超える部分が切断されるときに得られる。頭部（１１）がＸ線検出可能材料でマークされ、したがって外科用パッド（１０）の尾部（１２）および頭部（１１）が互いに接続されるように、綿糸が頭部（１１）に縫い付けられる。したがって、円形の外科用パッド（１０）が得られる。図２を参照すると、最終手順として、複数の外科用パッド（１０）が少なくとも１つの接続点（１４）を介して接続され、それにより外科用パッド束（２０）が提供される。前記外科用パッド束（２０）は、ブドウ束と同様の外観を有する。外科用パッド束（２０）における外科用パッド（１０）の頭部（１１）は、互いに少なくとも部分的に接触し、互いに隣接するように配置される。可能な実施形態では、外科用パッド束（２０）は、少なくとも５つの外科用パッド（１０）を互いに接続することにより提供される。前記頭部（１１）は、円などの角のない任意の幾何的形状を有することができる。上記の方法のいずれかによって得られた外科用パッド（１０）および外科用パッド束（２０）は、滅菌され、それにより外科手術での使用に適した外科用パッド（１０）が得られる。
【符号の説明】
【００２５】
１０…外科用パッド
１１…頭部
１１１…下層
１１２…上層
１１３…中間層
１２…尾部
１３…縫合部
１４…接続点
１５…縁部
１６…端部
２０…外科用パッド束
【図１】
2021513373.tif 000003
【図２】
2021513373.tif 000004
【図３】
2021513373.tif 000005
【図４】
2021513373.tif 000006
【図５】
2021513373.tif 000007
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
外科手術、特に脳および脊髄手術で使用するためのＸ線検出可能材料を含む中間層（１１３）を含む頭部（１１）を有する外科用パッド（１０）であって、前記中間層（１１３）は層（１１１、１１２）間に設けられ、前記層（１１１、１１２）は、綿１００％から作られ、手で所望のパッドサイズに形成された幾何的形状を有し、前記頭部（１１）に接続された尾部（１２）、複数の外科用パッド（１０）の前記尾部（１２）を接続することにより外科用パッド束（２０）が形成される、ことを特徴とする外科用パッド（１０）。
【請求項２】
前記頭部（１１）は、圧縮綿または親水性綿材料から作られる、ことを特徴とする請求項１に記載の外科用パッド（１０）。
【請求項３】
前記頭部（１１）は、正方形、長方形または円形の幾何的形状を有する、ことを特徴とする請求項１または２に記載の外科用パッド（１０）。
【請求項４】
前記尾部（１２）は、綿材料から作られた糸である、ことを特徴とする請求項１に記載の外科用パッド（１０）。
【請求項５】
前記Ｘ線検出可能材料は、酸化バリウムまたはイオンを含むインジケータである、ことを特徴とする請求項１〜４のいずれか１項に記載の外科用パッド（１０）。
【請求項６】
外科手術、特に脳および脊髄手術で使用するための角張った形状を有する外科用パッド（１０）を得る方法であって、
−上層（１１２）および下層（１１１）を形成するために圧縮綿をその長さに沿って手で折り畳み、そしてそれらを所定の長さに切断するステップと、
−放射線不透過性中間層（１１３）を形成するために上層（１１２）と下層（１１１）との間にＸ線検出可能材料を配置するステップと、
−最終形状を取得するために前記圧縮綿の少なくとも１つの縁部（１５）で切断し、そして頭部（１１）を得るステップと、
−頭部（１１）がＸ線検出可能材料でマークされるように頭部（１１）に綿糸を縫い付け、したがって尾部（１２）を形成するステップと、を含む、
ことを特徴とする外科用パッド（１０）を得る方法。
【請求項７】
外科手術、特に脳および脊髄手術で使用するための角張っていない形状を有する外科用パッド（１０）を得る方法であって、
−親水性綿を所望のパッドサイズで幾何的形状に手で形成するステップと、
−放射線不透過性中間層（１１３）を形成するためにＸ線検出可能材料を前記親水性綿内に配置するステップと、
−前記Ｘ線検出可能材料の周りを前記親水性綿で包み、端部（１６）を縫い付け、そして上層（１１２）および下層（１１１）を有するディスクに形成するステップと、
−前記親水性綿がその最終形状を獲得するように、前記親水性綿の周囲を超える部分を切断することにより、角張っていない形状を有する頭部（１１）を得るステップと、
−頭部（１１）がＸ線検出可能材料でマークされるように頭部（１１）に綿糸を縫い付け、したがって尾部（１２）を形成し、最終手順として、少なくとも１つの接続点（１４）を介して複数の外科用パッド（１０）を接続することにより、外科用パッド束（２０）が得られるステップと、を含む、
ことを特徴とする外科用パッド（１０）を得る方法。
【国際調査報告】
2021513373.tif 000008
2021513373.tif 000009
2021513373.tif 000010